【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
吸入器と、医薬製剤のためのリザーバとして前記吸入器内で用いられるカプセルとで構成されたシステムであって、前記カプセルは、一端が開口したカプセル本体（２）及び一端が開口したカプセルキャップ（１）を有し、前記カプセル本体と前記カプセルキャップは、キャビティを形成するようこれらの開口部を通って互いに入れ子式に嵌めることが可能であり、前記吸入器はカプセルチャンバ（７４）を有するシステムにおいて、
前記カプセル本体（２）及び／又は前記カプセルキャップ（１）は、前記開口部に加えて、いずれの場合にも、一端部のところに少なくとも１つの予備形成穴（７２，７２ａ，７２ｂ）を有し、
前記吸入器を用いる前に、前記カプセル（７１）は、カプセル入れ物（１７３ａ）内に貯蔵され、前記カプセル入れ物（１７３ａ）は、前記カプセル（７１）の前記キャビティに通じる少なくとも１つの穴（７２ａ，７２ｂ）を封止すると共に／或いは前記カプセル（７１）の前記キャビティに通じる全ての穴（７２ａ，７２ｂ）を封止し、
前記カプセル入れ物（１７３ａ）は、前記カプセルチャンバ（７４）内の少なくとも部分的に配置され、前記カプセル入れ物（１７３ａ）は、引き機構体によって前記カプセルチャンバ（７４）から取り出し可能であり、前記カプセル入れ物（１７３ａ）を取り出すと、前記カプセル（７１）は、前記カプセルチャンバ（７４）内に位置したままである、システム。
【請求項２】
前記カプセル入れ物（１７３ａ）は、前記引き要素（１７３）の一部であり又は前記引き要素（１７３）によって形成されている、請求項１記載のシステム。
【請求項３】
前記カプセル本体（２）及び前記カプセルキャップ（１）は、プラスチック材料で射出成形法により作られ、前記予備形成穴（７２，７２ａ，７２ｂ）は、同一の射出成形法で既に形成されている、請求項１又は２記載のシステム。
【請求項４】
前記吸入器は、前記カプセルチャンバ（７４）を空気出口に連結するマウスチューブ（７８ｄ）を備えたマウスピース（７８）を有し、前記空気出口は、使用中、口の隣りに位置する前記マウスピース（７８）の端の中心に設けられた開口部を構成し、前記カプセル入れ物（１７３ａ）を形成し又は包囲するコンポーネントが前記吸入器内で前記マウスチューブ（７８ｄ）を貫通して延びている、請求項１〜３のうちいずれか一に記載のシステム。
【請求項５】
前記吸入器は、前記カプセルチャンバ（７４）を画定すると共に前記カプセル入れ物（１７３ａ）を形成している前記コンポーネントを貫通して延びる舌部、ピン又はバー（７５）を有し、前記コンポーネントは、前記コンポーネントと前記カプセルチャンバ（７４）との間の相対運動中、前記舌部、ピン又はバー（７５）を挿通状態で滑らせることができる凹部を有する、請求項１〜４のうちいずれか一に記載のシステム。
【請求項６】
前記吸入器は、使用中、口の最も近くに位置し、この口の端の中央で前記カプセルチャンバ（７４）に連結される開口部を形成する一端部を備えたマウスピース（７８）を有し、前記カプセル入れ物（１７３ａ）を形成する前記コンポーネントは、キャップとして具体化され、該キャップは、前記システムの輸送状態では、ユーザが自分の唇を載せる領域が吸入器の使用時に覆われるよう前記口の端のところの前記開口部を封止する、請求項１〜５のうちいずれか一に記載のシステム。
【請求項７】
前記カプセル入れ物（１７３ａ）を形成する前記コンポーネントは、カプセル入れ物（１７３ａ）が前記カプセルチャンバ（７４）から完全に取り出された後においては前記カプセルチャンバ（７４）内に非破壊的に再び挿入されるのを阻止するばねアームを含む、請求項１〜６のうちいずれか一に記載のシステム。
【請求項８】
前記カプセル入れ物（１７３ａ）は、熱成形フィルム又はブリスタフィルムによって形成されている、請求項１〜７のうちいずれか一に記載のシステム。
【請求項９】
前記吸入器は、前記カプセルチャンバ（７４）を形成する本体（１００）を有し、前記本体（１００）は、２つの部分によって形成され、前記２つの部分は、溶接、貼り合わせ又は接着又は封着によって形成された接合部によって互いに結合されている、請求項１〜８のうちいずれか一に記載のシステム。
【請求項１０】
前記吸入器は、カプセルチャンバ（７４）を形成する本体（１００）を有し、前記本体は、熱成形フィルム又はブリスタフィルムを備える、請求項１〜９のうちいずれか一に記載のシステム。
【請求項１１】
請求項１〜３のうちいずれか一に記載のシステムにおいて、
前記カプセルは、前記システムの輸送状態では前記吸入器内に配置され、
カプセルの組み立て状態にある前記カプセル（７１）は、少なくとも１つの予備形成穴（７２，７２ａ，７２ｂ）を有し、
前記カプセル入れ物（１７３ａ）は、延伸性且つ／或いは柔軟性のフィルムを備え又は延伸性且つ／或いは柔軟性のフィルムで形成され、前記フィルムは、前記システムの前記輸送状態では、前記少なくとも１つの予備形成穴（７２，７２ａ，７２ｂ）及び／又は前記カプセル（７１）に設けられている穴の全てを封止するよう前記カプセルを少なくとも部分的に包囲する、システム。
【請求項１２】
前記フィルムの一部は、前記カプセル（７１）の一端部のところで前記カプセル（７１）を越えて突き出ていると共に／或いは前記フィルムは、プルストリップに連結され、
前記吸入器は、開口部を有し、又は開口部を前記吸入器上で露出させることができ、前記フィルムをその突出部分によって且つ／或いはそのプルストリップにより前記開口部を通って前記吸入器から引き出すことができ、次に、前記少なくとも１つの予備形成穴（７２，７２ａ，７２ｂ）及び／又は前記カプセル（１１，７１）に設けられている前記穴の全てが露出される、請求項１１記載のシステム。
【請求項１３】
前記吸入器は、２つのカプセル（７１）をそれぞれ貯蔵する、２つのカプセルチャンバ（７４）及び２つのカプセル入れ物（１７３ａ）を有する、請求項１〜１２のうちいずれか一に記載の吸入器及びカプセルを備えたシステム。
【請求項１４】
前記２つのカプセルには互いに異なる調合薬及び／又は互いに異なる量の１種類の調合薬が入れられている、請求項１３記載の吸入器及び２つのカプセルを備えたシステム。
【請求項１５】
請求項１〜１４のうちいずれか一に記載の吸入器及びカプセルを含むシステムを提供する方法であって、引き要素（１７３）の一部であり又は引き要素（１７３）によって形成され、粉末入りの予備有孔カプセル（７１）を収容したカプセル入れ物（１７３ａ）を、前記吸入器の他のコンポーネントと組み立て、前記カプセル（７１）を保持した前記カプセル入れ物（１７３ａ）の一部が前記吸入器のカプセルチャンバ（７４）内に配置され、前記吸入器の前記コンポーネントの組み立て後、前記システムは、輸送又は貯蔵のための状態にあり、前記カプセル本体（２）及びカプセルキャップ（１）で形成された前記カプセル（７１）の前記穴が閉鎖され、前記引き要素（１７３）を引くことによって前記システムを使用できる状態に変換し、この引きにより、前記カプセルの前記穴が露出される、方法。
【請求項１６】
前記吸入器は、前記カプセルチャンバ（７４）を形成する本体（１００）を有し、前記本体（１００）は、２つの部分によって形成され、前記カプセル（７１）を備えた前記カプセル入れ物（１７３ａ）を先ず最初に、前記カプセルチャンバ（７４）に代えて前記本体（１００）の前記第１の部分内に配置し、次に、前記本体（１００）の前記第２の部分の配置によって前記カプセルチャンバ（７４）の形成を完了させ、前記本体（１００）の前記２つの部分を溶接、貼り合わせ、接着又は封着によって互いに結合する、請求項１５記載の方法。
【請求項１７】
前記カプセル入れ物（１７３ａ）を前記吸入器の他のコンポーネントと組み立てる前に、前記カプセル本体（２）をカプセル入れ物（１７３ａ）中に挿入し、前記カプセル本体（２）に測定された量の粉末状の医薬製剤を充填し、次に、前記カプセル本体（２）を前記カプセルキャップ（１）により閉鎖する、請求項１５又は１６記載の方法。